Podtech/llm-jp-corpus-v4-ja_patent huggingface dataset:
(57)【要約】      （修正有）【課題】平面部や立体の角部に発生したばりを除去できると共に、筒体内部や穴部の中などに発生したばりを除去できるバリ取りブラシを提供する。【解決手段】略棒状の軸体２の一端に筒体３ａが形成されており、筒体３ａの内部には、複数本のブラシ毛材３ｂが装着されて端部３ｄを有するブラシ部３ｃが形成されている。また、ブラシ部３ｃの略中央部には２本の線材４ａにブラシ毛材４ｂが挟み付けられて捩じられたネジリブラシ部４が突出して形成されている。【選択図】図２
0003186692.tif 000002
【実用新案登録請求の範囲】
【請求項１】
被加工面の研削、研磨、表面処理、洗浄、バリ取り等の各種加工をする為のバリ取りブラシにおいて、前記バリ取りブラシは、略棒状の軸体の一端に筒体が形成されてあり、前記筒体の内部に複数本のブラシ毛材が装着されたブラシ部を有する筒型ブラシ部が形成されてあると共に、前記ブラシ部の略中央部から突出して複数本の線材にブラシ毛材が挟み付けられて捩じられたネジリブラシ部が形成されてあることを特徴とするバリ取りブラシ。
【考案の詳細な説明】
【技術分野】
【０００１】
本考案は、被加工面の研削、研磨、表面処理、洗浄、バリ取り等の各種加工をする為のバリ取りブラシに関するものである。
【背景技術】
【０００２】
従来から、回転軸を備えたブラシベースと、該ブラシベースに装着されると共に多数のブラシ毛を前記ブラシベースへ配置装着したバリ取りブラシが知られている。（特許文献１）。
【０００３】
また、複数本の芯材に、撚り線のブラシ片を挟み込んで捩じられたネジリブラシ部が知られている（特許文献２）。
【先行技術文献】
【特許文献】
【０００４】
【特許文献１】特開２００７−２６８６４０号公報
【特許文献２】特開２００７−１５０９６号公報
【考案の概要】
【考案が解決しようとする課題】
【０００５】
上記特許文献１のバリ取りブラシは、平面部や立体の角部に発生したばりを除去できるが、筒体内部や穴部の中などに発生したばりは除去できなかった。
【０００６】
一方、上記特許文献２のネジリブラシ部は、筒体内部や穴部の中などに発生したばりは除去できるが、平面部や立体の角部に発生したばりを除去できなかった。
【０００７】
本考案は、上記のような課題を解決する為になされたもので、平面部や立体の角部に発生したばりを除去できると共に、筒体内部や穴部の中などに発生したばりを除去できるバリ取りブラシを提供することを目的としている。
【課題を解決するための手段】
【０００８】
本考案は、上記従来の課題を解決する為に、被加工面の研削、研磨、表面処理、洗浄、バリ取り等の各種加工をする為のバリ取りブラシにおいて、前記バリ取りブラシは、略棒状の軸体の一端に筒体が形成されてあり、前記筒体の内部に複数本のブラシ毛材が装着されたブラシ部を有する筒型ブラシ部が形成されてあると共に、前記ブラシ部の略中央部から突出して複数本の線材にブラシ毛材が挟み付けられて捩じられたネジリブラシ部が形成されてあることを特徴としている。したがって、平面部や立体の角部に発生したばりを除去できると共に、筒体内部や穴部の中などに発生したばりを除去できる。
【考案の効果】
【０００９】
本考案では、平面部や立体の角部に発生したばりを除去できると共に、筒体内部や穴部の中などに発生したばりを除去できる。
【図面の簡単な説明】
【００１０】
【図１】本考案のバリ取りブラシの斜視図。
【図２】本考案のバリ取りブラシの正面図。
【図３】本考案のバリ取りブラシの使用状態を表す説明図。
【考案を実施するための形態】
【００１１】
図１は、本考案のバリ取りブラシの斜視図であり、図２は、本考案のバリ取りブラシの正面図、図３は、本考案のバリ取りブラシの使用状態を表す説明図である。
【００１２】
バリ取りブラシ１は、略棒状の軸体２の一端に筒体３ａが形成されてあり、筒体３ａの内部に、複数本のブラシ毛材３ｂが装着されて端部３ｄを有するブラシ部３ｃが形成されてある筒型ブラシ部３が形成されてある。また、ブラシ部３ｃの略中央部から突出して２本の線材４ａにブラシ毛材４ｂが挟み付けられて捩じられたネジリブラシ部４が形成されてある。
【００１３】
筒体３ａを有する軸体２には、ステンレス、鋳鉄等の各種金属材料、アルミニウム合金等の各種非鉄金属材料、各種樹脂材料等を使用目的に応じて使用する。また、ブラシ毛材３ｂ、４ｂには、使用目的に応じて、各種天然繊維、ナイロン等の各種化学繊維の材料が使用できるが、砥粒入りナイロンや、ピアノ線やステンレス線などの無機繊維等のバリを除去する為の高い研削力を有する材料を使用するのが好適である。
【００１４】
バリ取りブラシ１は、軸体２を、回転工具や回転機器に装着し、回転させて使用する。また、バリ取りブラシ１は、図３の如く、穴部１１ｂを有する加工物１１のバリ取りに好適に使用される。穴部１１ｂの内部に発生したバリは、ネジリブラシ部４のブラシ毛材４ｂにて除去されると共に、穴部１１ｂと平面部１１ａとの間の角部１１ｃに発生したバリは、ブラシ部３ｃのブラシ毛材３ｂの端部３ｄにて除去される。
【００１５】
バリ取りブラシ１は、同時に、加工物１１の穴部１１ｂと、角部１１ｃのバリを除去できるので、１工程で２箇所のバリ取り加工が可能である。
【産業上の利用可能性】
【００１６】
本考案のバリ取りブラシは、被加工面の研削、研磨、表面処理、洗浄、バリ取り等の各種加工をする為のブラシとして、広く好適に使用することができる。
【符号の説明】
【００１７】
１  バリ取りブラシ
２  軸体
３  筒型ブラシ部
３ａ  筒体
３ｂ、４ｂ  ブラシ毛材
３ｃ  ブラシ部
３ｄ  端部
４  ネジリブラシ部
４ａ  線材
１１  加工物
１１ａ  平面部
１１ｂ  穴部
１１ｃ  角部
【図１】
0003186692.tif 000003
【図２】
0003186692.tif 000004
【図３】
0003186692.tif 000005
(57)【要約】      （修正有）【課題】表面を縮緬布、好ましくは一越縮緬布で被覆した起き上がりこぼしを提供する。【解決手段】下方が略球形であって内部下方に錘部２を内包させた芯体１の表面を縮緬布３で被覆したことを特徴とする。また、縮緬布３を一越縮緬にすることにより、更には、芯体１の底部を表面の縮緬布３を複数枚重ねで構成した底芯４で覆うことにより、起き上がりこぼしのスイング動作が良好となる。【選択図】図１
0003186611.tif 000002
【実用新案登録請求の範囲】
【請求項１】
下方が略球形であって内部下方に錘部２を内包させた芯体１の表面を縮緬布３で被覆した起き上がりこぼし。
【請求項２】
縮緬布３が一越縮緬である請求項１に記載の起き上がりこぼし。
【請求項３】
芯体１の底部を表面の縮緬布３を複数枚重ねで構成した底芯４を装着した請求項１又は２に記載の起き上がりこぼし。
【考案の詳細な説明】
【技術分野】
【０００１】
本考案は、表面を縮緬で被覆した起き上がりこぼしに関するものである。
【背景技術】
【０００２】
従来より、玩具の一種として起き上がりこぼしが知られている。これは一般的に重心が下方に偏り、略球形の下半体を芯体で形成して、その表面に種々の意匠的装飾を施したもので、その手法として着色であったり、種々の動物やキャラクターの身体的なパーツや顔のパーツを縫い付けたり、貼り付けたりしている。
【０００３】
本件出願人も従来から種々の人形においてそのようなパーツを縮緬で構成して張り付けることを発明し、特有の装飾効果を発揮するものとして既に特許を取得しているところである。
【特許文献１】特許第４５５１４１７号公報
【考案の開示】
【考案が解決しようとする課題】
【０００４】
本考案は、一般的な人形において、その装飾的外観発現のために表面を縮緬で被覆することから更に発展させ、起き上がりこぼしに展開させたものであって、その性格上、下半体が滑らかな略球形（滑らかな曲面）で構成されることになる起き上がりこぼしにおいて、その球面の外表の貼り付けを滑らかならしめることにより、その倒れかけても元に戻る動作を極めてスムーズになるようにするとともに、仕上がりも曲面に沿って皺や弛みが生ずることなく滑らかに仕上げることができる起き上がりこぼしを提供しようとするものである。
【課題を解決するための手段】
【０００５】
本考案の主たる特徴は、下方が略球形であって内部下方に錘部２を内包させた芯体１の表面を縮緬布３で被覆したことである。また好ましくは縮緬布３が一越縮緬にすることであり、更に好ましくは、芯体１の底部を表面の縮緬布３を複数枚重ねで構成した底芯４を装着したことである。
【考案の効果】
【０００６】
本考案にあっては上述のようにしたから、その性格上、下半体は略球形（滑らかな局面）であって、通常の平面的な布であれば球面に被覆させるとどうしても皺や弛みが生ずるが、縮緬布３であれば曲面に沿って適度に伸びて曲面に馴染み、ピッタリとフィットさせて表面を覆うことができ、したがって、起き上がりこぼしとしての動作も、皺や弛みに影響されることがなく、極めて滑らかに起き上がりこぼし特有の滑らかなスイングを味わうことができる。しかも縮緬布３はその直毛の縦糸と撚りが掛かった横糸を織り込んだものであるので特有の微細な特有の微細凹凸が細かく存在するので、ミクロ的には、皺等がないための滑らかさの中にも微細な段差のあるデジタル的動作、ゆったりとしたファジーさが加味され、いっそう奥床しいスイングが生じ、見るものを楽しませてくれることになる。
【０００７】
また芯体１と接着する場合も、接着剤は縮緬布３裏面の多数の目間のシボに起因する特有の凹所に保持されて、接着性が良好となる。
【０００８】
また、縮緬布３は通常の丹後縮緬でも勿論かまわないが、糸がそれよりも細い一越縮緬にすると、生地厚が薄く、微細凹凸もより細かくなるので、微細凹凸に起因するデジタル的動作がやや抑制され、結果としてスイングがより滑らかとなり、また布厚が薄くなる分、芯体１への密着も強固になると言える。
【０００９】
更に、芯体１の底部に表面の縮緬布３を複数枚重ねて構成した底芯４を装着しておけば、一枚では薄く、接地部としては耐久性に問題が生じる可能性もあるが、強度が確保でき、しかも周辺の縮緬布３と表面は同質性が確保できるので、デザイン的な不連続性が生じる可能性も抑制できて、好ましい外観が保持される。
【考案を実施するための最良の形態】
【００１０】
図１は本考案の一実施例の概略を示すもので、芯体１はスチロール発泡体に代表されるような軽量素材により形成されるもので、胴部と頭部に分かれる場合は夫々を別個に作成して接合することができる。また胴部は略球形（滑らかな曲面）で、下方部に錘部２を内包させるために一対の割り体を接合して構成される。全体の形状はその性質上、下半分程度が略半球形状であれば、上部は人形やキャラクタのデザインに応じて任意に設定できる。
【００１１】
芯体１の表面は縮緬布３で覆われるが、必要に応じて幾つかのブロックに分けて接合することができる。また、縮緬は通常の丹後縮緬のような比較的糸が太いものもかまわないが、大きさが小さい場合は糸がより細い一越縮緬が好適である。その理由は、縮緬のシボが細かくなり、また布厚も薄くなり、布の伸縮がやや抑えられて小物に適するためである。芯体１の底部はやや平らに形成され、縮緬布３が２枚又はそれ以上積層された底芯４を装着する。
【００１２】
図２は縮緬布３と芯体１との接合状態の一例を模式的に示すもので、縮緬布３の表面には多数の大小不規則に凹凸模様５が現れ、また裏面側の凹所には接着（粘着）剤６が保持されて強固に固着される。また特有のシボのために芯体１の曲面に沿って伸縮して、皺や弛みが生ずることなく美麗な和風表面を表現できる。
【００１３】
尚、図示は割愛するが、縮緬布３の表面には、デザインに応じて、種々の身体構成パーツや顔の構成パーツを適宜装着される。
【産業上の利用可能性】
【００１４】
本考案は、起き上がりこぼしにおいて、芯体１の表面を縮緬布３で被覆したので、その芯体の略球面（滑らかな曲面）の下半分を、皺や弛みが生じることなく、ピッタリと覆うことができて、滑らかな曲面を保持し、起き上がりこぼしのスイングがスムーズであり、また、縮緬布３の不規則な微細なシボの存在により、滑らかなスイングの中にも僅かな不規則なリズム感を発生させることができて、見るものを楽しませる起き上がりこぼしとなる。
【図面の簡単な説明】
【００１５】
【図１】本考案の一実施例の概略断面図。
【図２】同上の芯体と縮緬布との接合部分の一例の拡大断面図。
【符号の説明】
【００１６】
１は芯体、２は錘部、３は縮緬布、４は底芯。
【図１】
0003186611.tif 000003
【図２】
0003186611.tif 000004
(57)【要約】      （修正有）【課題】鼻毛の除去を、手軽に安全かつ、きれいに剃ることができるような、鼻毛カミソリを提供する。【解決手段】刃部１と柄２で構成される。刃部１は角が丸みを持たせた長方形で、幅は、刃部１が容易に鼻孔に挿入でき、鼻孔で小回りができる程度にする。刃３は、安全ガードを取り付ける。柄２は、手で持ちやすい適度な長さにする。【選択図】図１
0003186671.tif 000002
【実用新案登録請求の範囲】
【請求項１】
合成樹脂で形成した刃部、柄で構成され、刃部は鼻孔内に挿入できる程度とし、刃には、安全ガードを取り付けたことを、特徴とする鼻毛カミソリである。
【考案の詳細な説明】
【技術分野】
【０００１】
この考案は、鼻孔に挿入して鼻毛を剃るための、鼻毛カミソリに関するものである。
【背景技術】
【０００２】
従来より、鼻毛を剃るための器具として、電動式の専用具を使用したり、鋏を使用して切っていた。
【先行技術文献】
【特許文献】
【０００３】
【特許文献１】特開2000-51545
【特許文献２】特開2007-105077
【考案の概要】
【考案が解決しようとする課題】
【０００４】
しかしながら、上記の電動式の器具は、切れ味が悪くきれいにすべて剃る事ができなく、価格も高価である。また、鋏を使用する場合、鏡を見ながら、鼻を傷つけないように、注意しながら行わなければならなかった。
【課題を解決するための手段】
【０００５】
以上の課題を解決するために、第一考案は、刃部は、角に丸みを持たせた長方形で、幅は、鼻孔に容易に挿入でき、鼻の中で小回りがきくようにする。刃は安全ガードを取り付ける。
【０００６】
上記のように、構成した考案の鼻毛カミソリを使用して鼻毛を剃るには、柄２を片手の手で持ち、刃部１を鼻孔内に挿入し、刃３に鼻毛が当たるように、鼻孔内に押し当てながら、上下に動かす。
【０００７】
柄は、手で持ち易い適度の長さにし、刃部が皮膚と直角にあたるようにするために、刃部と柄は適度の角度をつけて形成する。
【考案の効果】
【０００８】
第一考案によれば、刃部は、安全ガードが取り付けられているので、皮膚を傷つけることなく安全に剃ることができる。刃部を鼻孔に挿入して、上下させるだけなので、片手でも剃ることができる。
【図面の簡単な説明】
【０００９】
【図１】この考案の一実施形態を示した平面図。
【図２】本考案を実施するための使用状態の説明図。
【考案を実施するための形態】
【００１０】
この考案の一実施形態を図１に示す。鼻毛カミソリは、合成樹脂製で、刃部と柄で構成されている。刃には安全ガードが取り付けられている。
【実施例】
【００１１】
この実施形態によれば、刃として安全カミソリを使用するため切れ味が良い。また、安全ガードにより、刃が直接鼻孔内の皮膚に、当たらないよう保護されているので、安全である。刃部を鼻孔内に挿入して、上下に動かすだけなので、片手で剃ることができる。
合成樹脂製であるため、軽量でコンパクトなので携帯もできる。更に、構造も簡単なので、製造コストも安価であるため、使い捨てで使用もできる。
【符号の説明】
【００１２】
１、刃部
２、柄
３、刃
１Ａ、鼻毛カミソリ
【図１】
0003186671.tif 000003
【図２】
0003186671.tif 000004
(57)【要約】      （修正有）【課題】収納機能付きの帽子を提供する。【解決手段】帽子本体１と帽子のつば２を含め、帽子のつば２は帽子本体１の前に取り付けられ、帽子のつば２に収納ボックス３が設置され、収納ボックス３にスイッチ付きの扉４が設置される。いくつかの小さなアイテムを収納でき、アイテムが紛失しにくくなる。外見の美しさと実用的が両立という利点を持つ。【選択図】図１
0003186655.tif 000002
【実用新案登録請求の範囲】
【請求項１】
帽子であり、その特徴は：帽子本体と帽子のつばを含め、上述した帽子のつばは帽子本体の前に取り付けられ、帽子のつばに収納ボックスが設置され、収納ボックスにスイッチ付きの扉が設置される。
【考案の詳細な説明】
【技術分野】
【０００１】
本実用新案は帽子の分野に関与する。
【背景技術】
【０００２】
帽子は、我々の生活に不可欠な部分である。現在の帽子では、外見が美しいが、着用しかできなく、使い道が単一である。
【考案の概要】
【考案が解決しようとする課題】
【０００３】
本実用新案で解決しようとする技術問題とは、収納機能付きの帽子を提供したい。
【課題を解決するための手段】
【０００４】
本実用新案では、次の技術的な案を通して、実現したものである：この実用新案の帽子は、帽子本体と帽子のつばを含め、上述した帽子のつばは帽子本体の前に取り付けられ、帽子のつばに収納ボックスが設置され、収納ボックスにスイッチ付きの扉が設置される。
【考案の効果】
【０００５】
本実用新案の有益な効果とは：帽子のつばにある収納ボックスによって、着用以外に、いくつかの小さなアイテムを収納でき、アイテムが紛失しにくくなる。本実用新案は、外見の美しさと実用的が両立という利点を持つ。
【図面の簡単な説明】
【０００６】
【図１】図1は、本実用新案帽子の構造概略図である。
【考案を実施するための形態】
【０００７】
図1の様に、本実用新案の帽子は、帽子本体1と帽子のつば2を含め、上述した帽子のつば2は帽子本体1の前に取り付けられ、帽子のつば2に収納ボックス3が設置され、収納ボックス3にスイッチ付きの扉4が設置される。
【０００８】
本実用新案の有益な効果とは：帽子のつばにある収納ボックスによって、着用以外に、いくつかの小さなアイテムを収納でき、アイテムが紛失しにくくなる。本実用新案は、外見の美しさと実用的が両立という利点を持つ。
【０００９】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、請求の範囲で限定された範囲に準じる。
【符号の説明】
【００１０】
1  帽子本体
2  帽子のつば
3  収納ボックス
4  スイッチ付きの扉
【図１】
0003186655.tif 000003
(57)【要約】      （修正有）【課題】上下２枚重ねの布団のキルトのマス目位置をずらすことによって布団の厚味を保つと共に、キルト位置の詰物量の減少を防止することによって、布団の温か味を保つと共に、布団中布の１枚化による布団そのものの軽量化をも図る掛布団を提供する。【解決手段】掛布団１は、表布地２と裏布地４との間に中布地３を配し、表布地２と中布地３間及び裏布地４と中布地３間のそれぞれに、各布地を適宜の間隔で離隔し、経緯方向に延在する経襠布５ａ，６ａ及び緯襠布を設けてなる。表布地２と中布地３間の経緯方向に延びる襠布の間隔を、中布地３と裏布地４間の経緯方向に延びる襠布の間隔より大とした。【選択図】図３
0003186432.tif 000002
【実用新案登録請求の範囲】
【請求項１】
表布地と裏布地との間に中布地を配し、表布地と中布地間及び裏布地と中布地間のそれぞれに、前記各布地を適宜の間隔で離隔し、経緯方向に延在する経襠布及び緯襠布を設けてなり、前記表布地と中布地間の経緯方向に延びる襠布の間隔を、前記中布地と裏布地間の経緯方向に延びる襠布の間隔より大としたことを特徴とする掛布団。 
【考案の詳細な説明】
【技術分野】
【０００１】
本考案は、軽量化を図ると共に、ドレープ性を発揮させ保温性を高め得ることを可能にした掛布団に関する。
【背景技術】
【０００２】
掛布団において、布団の各位置の保温性を均一に高めるために重ねた布団の表地と裏地とを縦横小区画に綴じ合わせ、該小区画内に詰物を封入するものは極めて知られ（例として特開平１１−２０６５２０号参照・特許文献１）ている。この掛布団は布団地前面を適宜小区画に区分けしているため、布団各部の保温性を均一に配置することは可能であるが、各区画共に区画を作る際に表側地から裏側地を通してキルティング縫合部で縫合しており、この部分ではどうしても断熱性・保温性に劣る状態が見られ、かつ、クッション性にも満足のいかない状態を生ずる欠点が生じた。
【０００３】
また、表側地が構成する区画と裏側地が構成する区画との大きさを変化させようとし、表裏側地の中間に中間生地を配し、表側生地と中間１枚の生地、裏側生地ともう１枚の中間生地とをそれぞれ用いてなる袋体の重ね合わせ状態の掛布団とすると、結果として独立した布団を２枚合わせた状態となり、中布が２枚存在することになり、重量的にも増加し取り扱い難いものになる（特許文献２）。
【先行技術文献】
【特許文献】
【０００４】
【特許文献１】特開平１１−２０６５２０号公報
【特許文献２】特開平２−２７６１１０号公報
【考案の概要】
【考案が解決しようとする課題】
【０００５】
本考案は上記の点に鑑みて、上下２枚重ねの布団のキルトのマス目位置をずらすことによって布団の厚味を保つと共に、キルト位置の詰物量の減少を防止することによって、布団の温か味を保つと共に、布団中布の１枚化による布団そのものの軽量化をも図ることを目的とする。
【課題を解決するための手段】
【０００６】
請求項１記載の考案は、表布地と裏布地との間に中布地を配し、表布地と中布地間及び裏布地と中布地間のそれぞれに、前記各布地を適宜の間隔で離隔し、経緯方向に延在する経襠布及び緯襠布を設けてなり、前記表布地と中布地間の経緯方向に延びる襠布の間隔を、前記中布地と裏布地間の経緯方向に延びる襠布の間隔より大とした掛布団である。
【考案の効果】
【０００７】
本考案の掛布団は、表裏布地と中布地とよりなる布団地の、表布地と裏布地との間に中布地を配し、表布地と中布地間及び裏布地と中布地間のそれぞれに、前記各布地を適宜の間隔で離隔し、経緯方向に延在する経襠布及び緯襠布を設けているために、２枚重ねの掛布団とした場合の中間の中布地に相当する２枚の布地を１枚で構成させることが出来、その分、軽量化を図れる。
【０００８】
本考案布団にあっては、上下の２層の区画が構成されているが、上下で大きさ、区画数が異なる形状としているために次の効果を生じている。即ち、上部区画のマス目と下部の区画のマス目の位置がズレていることから、従来の上下の区画が同じ位置でマス目を持たせているものでは充填物がマス目部分にないことによる保温不足が起こるが、この考案の布団ではそれが防げる。
【０００９】
また、区画の数が多い方を就寝者側にして布団を掛けると、上下同じ大きさ区画数の布団より、身体に沿ってカーブしドレープ性があることから、保温性が高まる。
【図面の簡単な説明】
【００１０】
【図１】本考案掛布団の表布地の一部を除いた状態の平面図。
【図２】本考案掛布団の裏布地の一部を除いた状態の裏面図。
【図３】図１のIII−III線における本考案掛布団の断面斜視図。
【考案を実施するための形態】
【００１１】
本考案、掛け布団1の実施の一例を図面と共に次に説明する。掛布団１は、表布地２と中布地３と裏布地４とを３枚重ね合わせ、表布地２と中布地３間に上部襠布５を、中布地３と裏布地４間に下部襠布６をそれぞれ設ける。前記３枚の布地の周縁は適宜縫い合わされる。上部襠布５は、表布地２と中布地３との間に位置し、両布２，３間に上部羽毛室７を構成するためのもので、所定間隔に並置された上部経襠布５ａと上部緯襠布５ｂとがクロスして配され、下部襠布６は中布地３と裏布地４との間に位置し、所定間隔に並置された下部経襠布６ａと下部緯襠布６ｂとがクロスして配置され裏布地２と中布地３との間に下部羽毛室８を構成している。
【００１２】
上記、上掛布団１ａと下掛布団１ｂの面積は同一にしているが、上記、上部襠布５と下部襠布６とのそれぞれにより作られる上部羽毛室７及び下部羽毛室８の大きさは、上部羽毛室７が下部羽毛室８よりも大きくしている。
即ち、区画数を多くすることによって就寝時、身体に布団を掛けたとき、身体の線に沿って寝具が良く沿い、ドレープ性を発揮し保温性を得ることが出来るようにしている。
【００１３】
また、本考案掛布団は、上位に位置する上掛布団１ａと下位に位置する下掛布団１ｂとのそれぞれの襠布の位置が平面視一致せず、ずれているため、例えば上下の掛布団羽毛室内の片寄りがあったとしても、その偏在を打ち消す効果が有り、保温性の低下を見ることはない。
【符号の説明】
【００１４】
１  掛布団
１ａ  上掛布団
１ｂ  下掛布団
２  表布地
３  中布地
４  裏布地
５  上部襠布
５ａ  上部経襠布
５ｂ  下部緯襠布
６  下部襠布
６ａ  下部経襠布
６ｂ  下部緯襠布
７  上部羽毛室
８  下部羽毛室
【図１】
0003186432.tif 000003
【図２】
0003186432.tif 000004
【図３】
0003186432.tif 000005
(57)【要約】      （修正有）【課題】ティッシュボックスを簡単に家具の余剰空間に取り付けられるティッシュボックスホルダを提供する。【解決手段】先端９を反らせたヘアピン状の取付部１、立上り部２、引掛部３が連続した線材で構成されている。取り出し口を下にしたティッシュボックスの両角に、取付部を差し込み引掛部を机上に引掛ける。机の下面に取り付けられたティッシュボックスの下方からティッシュペーパーを取り出すことができる。机上には引掛け部が出るのみなので邪魔にならない。【選択図】図１
0003186455.tif 000002
【実用新案登録請求の範囲】
【請求項１】
先端９を反らすことによりティッシュボックス５の両角６に差し込みやすくした取付部１と立上り部２と引掛部３が連続した線材で構成されていることを特徴とするティッシュボックスホルダ。
【考案の詳細な説明】
【技術分野】
【０００１】  本考案は、机の天板の裏等の家具における余剰空間にティッシュボックスを収納するためのホルダに関するものである。
【背景技術】
【０００２】  どの家庭にも食卓の近くや机上にはティッシュボックスを備えてある。しかし、それは単に置かれてあることが多く場所を取り使い勝手も悪く不便である。従来の技術としては場所を取らず、頻繁な使用に適する収納部材は必ずしも充分には提案されていない。同じ目的として家具に接続部を取り付けそれに保持部を装着させるケースはあるが、家具に接続部をネジや釘等で取り付けるため、家具に傷がつきいためるものであった。またベッド廻りやパソコン周辺、台所や洗面所などの水廻りにティッシュを置くスペースがない場合大変不便であった。
【考案が解決しようとする課題】
【０００３】  従来、机の天板の裏など家具に設置するティッシュボックスホルダは机や家具にネジや釘などで取り付ける方式であるため、家具に傷が付きいためるものであった。また粘着テープや吸盤で接着する方法ではその作業が面倒であるし、粘着面で机が汚れたり吸盤が思うように付かなかったりする欠点がある。その欠点を解決するために本考案はネジや釘、粘着テープ、吸盤を使わずティッシュボックスを簡単に机の天板の裏などの家具の余剰空間に取り付けられるように考案されたものである。
【課題を解決するための手段】
【０００４】  上記の目的を達成するための本考案、ティッシュボックスホルダは、ティッシュシュボックス５の両角６に差し込みやすくするために先端９を反らせたヘアピン状の取付部１、立上り部２、家具に掛ける引掛部３が連続した線材より形成する構造からなるものである。
【考案の効果】
【０００５】  本考案は、ティッシュボックス５の両角６に、差し込みやすくするために先端９を反らせた取付部１を差し込んで使用するものである。ティッシュは生活には欠かすことのできないものであるが、その置き場に苦慮している。そこで考え出されたのが本考案である。本考案のティッシュボックスホルダは、ティッシュボックスに取り付けそれを家具に掛けるだけの簡単な構造であるから面倒な作業もいらないし設置も簡単にできる。頻繁に使用するティッシュボックスを、机の天板の下など家具の余剰空間をうまく利用して設置できるので場所を取らない。また各人が手近かな位置に設置できるので、お年寄りや幼児にとっても手を伸ばしたりさがしたりすることなく簡単にティッシュペーパーを取ることができる。病院などのように、廻りにティッシュボックスを置くスペースの少ない所でも、ベッドの手すりや枕元にかけることができる。よって寝たままでも手が届きティッシュペーパーをとることができる。
【考案を実施するための最良の形態】
【０００６】  本考案の実施例を図面を参照して説明する。図１は本発明に係るティッシュボックスホルダの斜視図である。図２は平面図、図３、図４は側面図である。図に示すように先端９を反らせたヘアピン状の取付部１、立上り部２、家具に掛ける引掛部３が連続した線材より形成する構造からなるものである。図５は本考案をティッシュボックスに装着した斜視図である。差し込みやすくするために先端９を反らせたヘアピン状の取付部１をティッシュボックス５の角６に差込み、引掛部３で家具に掛ける。家具から滑り落ちないように滑り止め４を付けるとさらに使い勝手がよい。図６は机上に設置した使用状態の側面図である。本考案は、図１、図２、図３、図４に示すように、先端９を反らせたヘアピン状の取付部１、立上り部２、引掛け部３が連続した線材より形成されている。図５、図６、図７に示すように、取り出し口を下にしたティッシュボックスの両角６に、先端９を反らせた取付部１を差し込み引掛部３を机上に引掛ける。これらの作業でティッシュボックスの下方からティッシュペーパーを取り出すことができる。図８に示すように食事中でも簡単に手が届きティッシュペーパーをとることができる。机上にティッシュボックスを置かなくてよいので食事も広いスペースを使ってできる。机上には半円形の線である引掛け部３が出るのみなので邪魔にならない。図９に示すように戸棚に設置することもできる。水廻りなどにティッシュボックスを置くと濡れてしまうことがあったが戸棚に設置することにより水濡れを防ぐことができる。また戸棚の下の余剰空間を利用しているので場所を取らない。図１０は本考案をベッドの枕もとに掛けて使用してる側面図である。病院などのように、廻りにスペースの少ない所ではティッシュボックスを置く場所に困るが、本考案のティッシュボックスホルダであれば、ベッドの手すりや枕元に横向きにかけることができるので場所を取らず設置することができる。よって寝たままでも手が届きティッシュペーパーを簡単に取ることができる。
以上、説明したように、本考案は、先端９を反らせた取付部１、立上り部２、引掛け部３が連続した線材から構成されるティッシュボックスホルダである。
【図面の簡単な説明】
【０００７】
【図１】本考案に係るティッシュボックスホルダの斜視図
【図２】同じく平面図
【図３】同じく側面図
【図４】同じく側面図
【図５】取付部１をティッシュボックスに装着した使用状態説明図
【図６】ティッシュボックスホルダを机に設置した側面図
【図７】ティッシュボックスホルダを机に設置した使用状態説明図
【図８】同じく実際に使用している説明図
【図９】ティッシュボックスホルダを戸棚に設置した使用状態説明図
【図１０】ベッドに設置した側面図
【符号の説明】    １取付部
２立上り部
３引掛部
４滑り止め
５ティッシュボックス
６ティッシュボックス角の取付部１の挿入箇所
７机
８ベッドの手摺
９取付部の先端
【図１】
0003186455.tif 000003
【図２】
0003186455.tif 000004
【図３】
0003186455.tif 000005
【図４】
0003186455.tif 000006
【図５】
0003186455.tif 000007
【図６】
0003186455.tif 000008
【図７】
0003186455.tif 000009
【図８】
0003186455.tif 000010
【図９】
0003186455.tif 000011
【図１０】
0003186455.tif 000012
(57)【要約】      （修正有）【課題】水抵抗を減らし、速度の低下と燃費の消耗を抑制する推進力補助装置を提供する。【解決手段】船舶や潜水船の船底部の進行方向前方で泡を発生させる手段を設ける。また、鉄道など移動体が進行するトンネルにおいて進行方向への負圧を発生させるヘリウムガス噴出手段を設ける。【選択図】図１
0003186453.tif 000002
【実用新案登録請求の範囲】
【請求項１】
大気中、水上、水中において層を作ることで移動体への抵抗を減らす、負圧を作る層置や方法。
【考案の詳細な説明】
【考案の概要】
乗り物、移動体の進行方向に泡またはヘリウムガス等を噴出し抵抗を減らす、負圧の層を発生させことで推進、推進力の補助を行うもの。
【考案が解決しようとする課題】船舶等では進行方向に大きな水抵抗があり速度の低下、圧力、燃費の消耗がある。
【課題を解決するための手段】泡等を噴出し抵抗を減らす層を発生させる。
【考案の効果】速度の増加、衝撃の緩和、燃費の向上が見込まれる。
【図面の簡単な説明】
【図１】船舶の周辺に泡等を噴出する模型図。トンネル内にヘリウムガス等を噴出する模型図。
【符号の説明】▲１▼  泡等を発生させる。
▲２▼  ヘリウムガス等を噴出する。
【図１】
0003186453.tif 000003
【手続補正書】
【提出日】平成25年1月4日(2013.1.4)
【手続補正１】
【補正対象書類名】実用新案登録請求の範囲
【補正対象項目名】全文
【補正方法】変更
【補正の内容】
【実用新案登録請求の範囲】
【請求項１】
大気中、水上、水中において層を作ることで移動体への抵抗を減らす、負圧を作る層置。
【手続補正書】
【提出日】平成25年4月1日(2013.4.1)
【手続補正１】
【補正対象書類名】実用新案登録請求の範囲
【補正対象項目名】全文
【補正方法】変更
【補正の内容】
【実用新案登録請求の範囲】
【請求項１】
移動体の進行方向に対する抵抗を減少させるため水中、水上においては進行方向前方にコンプレッサーまたは排気ガスを再循環させ泡を発生、またトンネル等では負圧を発生させる、進行方向にヘリウムガス等気体の噴出手段を設ける、ことを特徴とする推進力補助装置。
【手続補正書】
【提出日】平成25年6月15日(2013.6.15)
【手続補正２】
【補正対象書類名】図面
【補正対象項目名】全図
【補正方法】変更
【補正の内容】
【図１】
0003186453.tif 000004
(57)【要約】      （修正有）【課題】円錐形状の下端に段差を設け、糸またはひもの巻き付けを容易にした貝独楽を提供する。【解決手段】鋼鉄等の棒材の上端を残し、下端を円錐形状に所定の角度で切削加工する。円錐形の一部に段差部３を設けて最先端を支点４として回転可能な構造とした。【選択図】図１
0003186457.tif 000002
【実用新案登録請求の範囲】
【請求項１】
六角柱状の鋼鉄等の棒材を所定長に切断し、その上端の１／３を残し、下端２／３が円錐形状になるように所定の角度で切削加工するとともに前記円錐形状の先端の一部にも段差を設けて最先端を支点として回転可能な構造としたことを特徴とする貝独楽。
【考案の詳細な説明】
【技術分野】
【０００１】本考案は、糸およびひもの巻き付けの簡易化を図った貝独楽に関する。
【背景技術】
【０００２】日本古来から子供達の遊戯として伝承されてきている貝独楽は、従来から円錐形状の本体に糸あるいはひもをある種のテクニックともいうべき手段で巧みに巻き付けその回転力の強弱を競い合ってきた。
しかしながら、時代の変遷とともに子供達はこれらの遊戯から離れているのは歴然とした事実であるが、遊戯としての難しさが理由の一つとして上げられている。
従来、この構造のものは図３の（イ），（ロ），（ハ）ようにその製造方法が水平または垂直に傾斜した中心軸のまわりに回転する鋳型を設置し、この内方に溶融金属等を注入し、円錐形状の貝独楽を形成したものであった。【０００３】このような構造から回転させるのに円錐形状の本体に糸およびひもを巻き付けなければならないのに巻き始めの箇所が有って無いような状態で明確になっていないため、子供達には容易に巻き付けられず、かなりの苦戦を強いられることから何回かはチャレンジするものの興味を失いついには断念してしてしまうという場合がほとんどであった。
【考案の概要】
【考案が解決しようとする課題】
【０００４】以上に述べた従来の貝独楽では、子供達の遊戯で有りながら遊びたくても容易性のないものであった。【０００５】本考案は、このような従来の構造が有していた問題を解決しょうとするものであり、貝独楽本体に段差を設けることにより糸およびひもの巻き付ける箇所を明確にし容易性を実現することを目的とするものである。
【課題を解決するための手段】
【０００６】そして、本考案は上記目的を達成するために、六角柱状の鋼鉄等の棒材を所要長に切断し、その上部上端の１／３を残し、下端２／３が円錐形状になるよう所定の角度で切削加工するとともに前記円錐形の先端の一部にも段差を設けて最先端部を支点として回転可能としたものである。
【考案の効果】
【０００７】上述したように本考案の貝独楽は、下端２／３の円錐形上の段差により糸およびひもの巻き付け箇所が明確になり、巻き付けの安定化により糸およびひもの抜脱はない。
【図面の簡単な説明】
【０００８】
【図１】本考案の実施形態を示す貝独楽の説明図
【図２】本考案の貝独楽への糸またはひもの巻き付けの説明図
【図３】従来の貝独楽の説明図
【考案を実施するための形態】
【０００９】巻き付けの容易化および巻き付け回数時間の短縮化により貝独楽の遊戯性への感心が高まる。
本考案品は、所要長に切断した金属棒材を円錐形に切削加工してなる形態であり、先端部を回転軸としているため回転もスムーズで扱いが簡単で、常に安定した回転力を持続することができるとともに製作も旋盤作業となることから生産性も良好となる。
【実施例】
【００１０】以下、本考案の実施例を図１に基づき説明する。【００１１】図１は本考案の貝独楽の説明図であり、１は本体、２は巻き付け部、３は段差部、４は支点を示し、次のように製作される。【００１２】１の本体は予め六角柱状に形成された鉄鋼の棒材を所要長に切断した小塊を、その上端の１／３を残し、下端２／３を棒材の中心から４５度づつ振り分けた円錐形状になるよう切削加工する。【００１３】さらに、２の巻き付け部の錐形状の先端の一部に３の段差部を設け、最先端部を４の支点となるよう切削加工を施し完成する。【００１４】前記３の段差部は、５の糸またはひもを巻き付けができるようにしたものであるので任意の深さで良い。【００１５】図２は本考案の貝独楽の１の本体に、５の糸またはひもを巻き付けた説明図であり、５の糸またはひもの先端は３の段差部に始点を置くことで、道筋ができ順次１の本体の上方向へ順次整列して巻き付けられるので、極めて容易にできる。【００１６】なお、この貝独楽の１の本体表面には空白があることから、種々の絵柄、模様のシール等を貼り付けられるので興味効果も大きい。
【符号の説明】
【００１７】１  本体
２  巻き付け部
３  段差部
４  支点
５  糸またはひも
【図１】
0003186457.tif 000003
【図２】
0003186457.tif 000004
【図３】
0003186457.tif 000005
(57)【要約】      （修正有）【課題】野球観戦時に於いて清涼飲料水やビールの紙コップ使用時の置き場所に気を使わず観戦また愉しむ事が出来る椅子用紙コップホルダーを提供する。【解決手段】取付け部Ａと置き部Ｃがアーム部Ｂにより接続され、取付け部Ａは、椅子の座部に、アーム部の傾斜角度が調整可能に取り付けられる取り付け機構を有し、置き部Ｃは、コップを挿し込むコップホールを保有し、置き部Ｃと、アーム部とは、自在接手で結合された構成であって、椅子の座部に、取付け部Ａとアーム部Ｂの角度を調節し固定し、置き部Ｃのアーム部Ｂの角度を調整して、置き部Ｃを水平にして、コップの中身がこぼれない様にしたことを特徴とする。【選択図】図１
0003186459.tif 000002
【実用新案登録請求の範囲】
【請求項１】
取付け部Ａと置き部Ｃがアーム部Ｂにより接続され、取付け部Ａは、椅子の座部に、アーム部の傾斜角度が調整可能に取り付けられる取り付け機構を有し、置き部Ｃは、コップを挿し込むコップホールＣ３を保有し、置き部Ｃと、アーム部とは、自在接手で結合された構成であって、椅子の座部に、取付け部Ａとアーム部Ｂの角度を調節し固定し、置き部Ｃのアーム部Ｂの角度を調整して、置き部Ｃを水平にして、コップの中身がこぼれない様にしたことを特徴とする椅子用コップホルダー。
【考案の詳細な説明】
【技術分野】
【０００１】本考案は、野球観戦に於けるビール、清涼飲料水等、紙コップの置き場所の煩わしさを解決して観戦を愉しめる椅子用コップホルダーに関する。
【背景技術】
【０００２】一般では、各観戦場内には缶入り、瓶入りの清涼水、ビール等の持ち込みは禁止になっており、したがって場内販売人から購入した紙コップ入り清涼飲料水、ビールは置く場所が無く飲み終わるまで手で持っているか、足元に置いて転倒させたりする事もある。
【考案の概要】
【考案が解決しようとする課題】
【０００３】本考案は場内販売人から購入した清涼飲料水、ビール等入りの紙コップの置き場所に煩わせる事無く椅子用コップホルダーを設置して気がね無く観戦に集中する事が出来、折畳んで持ち運びが容易で観戦に役立つことを目的とする。
【課題を解決するための手段】
【０００４】取付け部Ａと置き部Ｃがアーム部Ｂにより接続され、取付け部Ａは、椅子の座部に、アーム部の傾斜角度が調整可能に取り付けられる取り付け機構を有し、置き部Ｃは、コップを挿し込むコップホールＣ３を保有し、置き部Ｃと、アーム部とは、自在接手で結合された構成であって、椅子の座部に、取付け部Ａとアーム部Ｂの角度を調節し固定し、置き部Ｃのアーム部Ｂの角度を調整して、置き部Ｃを水平にして、コップの中身がこぼれない様にしたことを特徴とする椅子用コップホルダー。
【考案の効果】
【０００５】本考案の椅子用コップホルダーは、折角の野球観戦に行っても紙コップを持っての応援も儘ならず、持った中身も暖まり足元に置いたら紙コップを倒したり、そんな煩わしさから開放し、楽しく観戦をするのに役立つ。
【図面の簡単な説明】
【０００６】
【図１】本考案の椅子用コップホルダーの全体構成
【図２】本考案の椅子用コップホルダーの取り付け部の構成
【図３】本考案の椅子用コップホルダーのアーム部の構成
【図４】本考案の椅子用コップホルダーの紙コップ置き部の構成（裏面視）
【本考案を実施するための形態】
【０００７】本考案は、コンパクトにして携帯出来て簡単に設置しやすく観戦を愉しむ事が出来る椅子用コップホルダーである。
【０００８】図１は、本考案の椅子用コップホルダーの全体構成で、図２は、椅子用コップホルダーの取り付け部Ａの構成、図３は椅子用コップホルダーのアーム部Ｂの構成と、図４は椅子用コップホルダーの置き部Ｃ（裏目視）の構成を示す。
【０００９】本考案の椅子用コップホルダーは、取付け部Ａと置き部がアーム部Ｂによる接続される。
取付け部Ａは、アーム部Ｂを椅子の座部の横に取り付ける取り付け機構を備える。
取り付け機構としては、ボルトとナットで取り付ける方法や、クリップで挟む方法などがある。
図２の取付け部Ａの取り付け機構では、椅子の座の部分の左側、右側どちらかの端に近い方を、挟み口Ａ２で挟み、締め付けネジＡ３で締め付けると、受け部Ａ５が上昇して挟み込み、固定する。
【００１０】アーム部は、取付け部Ａと置き部を接続する長尺状で、図３に示すように、取付け部Ａ側に、アームの締め付けネジＢ２と、置き部側に自在接手Ｂ３を備える。
図４は置き部Ｃを裏面から見た構成である。置き部Ｃは、本体Ｃ１と、自在接手受けＣ２とコップを挿し込むコップホールＣ３を備える。
アーム部Ｂと取付け部Ａとは、アーム部Ｂが取付け部Ａに対して締め付け固定するとともに、角度調整が出来る角度調整機構を有する。実施例の角度調整機構は、アームの締め付けネジＢ２と、アームの締め付けネジ孔Ａ４を備えることで、アームの締め付けネジＢ２をアームの締め付けネジ孔Ａ４に螺入することで任意の角度に固定する。
【００１１】アーム部Ｂと置き部Ｃは、自在接手により接続される。自在接手は、自在接手Ｂ３と、自在接手受けＣ２から構成される。アーム部の自在接手Ｂ３と、置き部の自在接手受けＣ２は自在接手結合により、位置、角度の変化に応じて、置き部を水平に調節し、コップの中身がこぼれないようにする。
【００１２】本考案の椅子用コップホルダーの使用方法を説明する、取付け部Ａの挟み口Ａ２で、椅子の座の部分の左側、右側どちらか端に近い方を挟み、締め付けネジＡ３で締め付け固定し、アーム部Ｂのアームの締め付けネジＢ２で左右の傾きを調節して、締め付け固定し、置き部Ｃの自在接手受けＣ２で、置き部Ｃが水平になるように調整して使用する。
【符号の説明】
【００１３】Ａ          取付け部
Ａ１    本体
Ａ２    挟み口
Ａ３    締め付けネジ
Ａ４    アームの締め付けネジ孔
Ａ５    受け部
Ｂ          アーム部
Ｂ１    本体
Ｂ２    アームの締め付けネジ
Ｂ３    自在接手
Ｃ          置き部
Ｃ１    本体
Ｃ２    自在接手受け
Ｃ３    コップホール
【図１】
0003186459.tif 000003
【図２】
0003186459.tif 000004
【図３】
0003186459.tif 000005
【図４】
0003186459.tif 000006
(57)【要約】      （修正有）【課題】各カード固有の記号番号のを短時間で読み取り、ＰＯＳレジと連動できるトレーディングカード読み取り装置を提供する。【解決手段】トレーディングカード読み取り装置１をパソコン本体３に接続して、カード２の各記号番号をカメラで読み取り、パソコンに記録された文字認識プログラムを使用し、トレーディングカードのデータベースによる検索・照合、ＰＯＳレジへの登録を行う。カメラは、小さな文字に焦点を固定することで、パソコンに記号番号を取込み、自動的に文字認識させる。【選択図】図１
0003186458.tif 000002
【実用新案登録請求の範囲】
【請求項１】
トレーディングカードの記号番号に焦点をあてたカメラを用いて、各記号番号を読み取り、パソコンに記録された文字認識プログラムを使用し、トレーディングカードのデータベースによる検索・照合、ＰＯＳレジへの登録を行う、トレーディングカード読み取り装置。
【請求項２】
前記カメラは、小さな文字に焦点を固定することで、パソコンに記号番号を取込み、自動的に文字認識することを特徴とする請求項１記載のトレーディングカード読み取り装置。
【考案の詳細な説明】
【技術分野】
【０００１】  本考案は、トレーディングカードに記載されている記号番号を読み取るための装置に関する。
【背景技術】
【０００２】  従来、トレーディングカードに記載されている記号番号のみを読み取る装置がなく、ＰＯＳレジ等に入力する際、各記号番号を手作業で入力する必要があった。
【考案の概要】
【考案が解決しようとする課題】
【０００３】  そのため、ＰＯＳレジ等への入力に時間がかかり、また、記載されている各記号番号の文字サイズが非常に小さいため、目視での識別に手間がかかっていた。
そこで、この考案は、各記号番号をカメラで読み取り、ＰＯＳレジに連動させるための装置を提供することを課題とする。
【課題を解決するための手段】
【０００４】  以上の課題を解決するために、第一発明は、トレーディングカードの記号番号に焦点をあてたカメラを用いて、各記号番号を読み取り、パソコンに記録された文字認識プログラムを使用し、トレーディングカードのデータベースによる検索・照合、ＰＯＳレジへの登録を行う、トレーディングカード読み取り装置。
また、第二発明は、装着しているカメラの焦点を小さな文字に固定することで、パソコンに記号番号を取込み、自動的に文字認識することを特徴とするトレーディングカード読み取り装置。
【考案の効果】
【０００５】  第一発明、第二発明によれば、トレーディングカードの記号番号をカメラで読み取り、パソコンに記録された文字認識プログラムを使用し、ＰＯＳレジと連動させることによって、現在、記号番号を目視確認後、手作業で入力していた手間を大幅に短縮できる。
また、従来、スキャナー等を使用しトレーディングカード全体を読み取り、データベース上の画像と照合する識別方法があったが、何万種類にも及ぶトレーディングカードの画像データをデータベース上に保存しておく必要があり、検索・照合にも時間がかかっていた。トレーディングカードの記号番号に絞って読み取ることにより、データベース上のデータも記号番号を保存するだけでよいので、データベース容量の節約にもなり、検索・照合の時間も大幅に短縮できる。
【図面の簡単な説明】
【０００６】
【図１】  この発明の一実施形態を記す斜視図である。
【図２】  この発明の装置の斜視図である。
【考案を実施するための形態】
【０００７】  この発明の一実施形態を、図１、図２に記す。
トレーディングカード読み取り装置１にトレーディングカード２を挿入することにより、カメラで読みとった記号番号をパソコン本体３におくり、データをＰＯＳレジに連動させる。
トレーディングカード読み取り装置の本体カバー４はプラスチック、もしくは木、金属製であり、本体内部にカメラ５をとりつけている。
【符号の説明】
【０００８】１  トレーディングカード読み取り装置
２  トレーディングカード
３  パソコン本体
４  トレーディングカード読み取り装置カバー
５  カメラ
【図１】
0003186458.tif 000003
【図２】
0003186458.tif 000004
(57)【要約】      （修正有）【課題】従来の食品用ラップフィルムの円筒形状紙管は食品用ラップフィルムを巻回し保持する機能をなし、それ以上の役割がなかったため、デザイン化された紙管が、ラップフィルムの上からも、ラップケースの外からも目視出来る食品用ラップを提供する。【解決手段】食品用ラップの紙管２にテープ状のデザイン画１をラセン状に巻き張り付け、その上にラップフィルム３を巻き重ね、そのように形成された紙管を透明型ラップケースに内設することを特徴とする円筒形状のデザイン化された紙管と透明型収容ケースから成る食品用ラップ。【選択図】図３
0003186460.tif 000002
【実用新案登録請求の範囲】
【請求項１】
食品用ラップ等に使用されている円筒形状紙管の外側全面に約７０ｍｍ幅のテープ状にしたデザイン画を、ラセン状に巻き張り付けて、デザイン化された紙管を形成し、そのデザイン化された紙管を収容する透明型ケースを形成し、この透明型ラップケースにデザイン化された紙管を内設することを特徴とする円筒形状のデザイン化された紙管と透明型収容ケースから成る食品用ラップ。
【考案の詳細な説明】
【技術分野】
【０００１】  本考案は食品用ラップフィルムの円筒形状紙管に関するものである。
【背景技術】
【０００２】  従来の市販の食品用ラップフィルムの円筒形状紙管は全面無地で、その上に食品用ラップフィルムを巻回して保持するという形をしている。
【考案の概要】
【考案が解決しようとする課題】
【０００３】  従来の市販されている食品用ラップの円筒形状紙管は食品用ラプフィルムを巻回し保持する機能をなし、それ以上の役割がありません。
本考案は、以上の問題点を解決するためになされたものである。
【課題を解決するための手段】
【０００４】  食品用ラップ等に使用されている円筒形状紙管の外側全面に、約７０ｍｍ幅のテープ状にしたデザイン画を、ラセン状に巻き張り付けて、デザイン化された紙管を形成する。それと共に、それを収容するための透明素材を用いた透明型ラップケースを形成し、この透明型ラップケースにデザイン化された紙管を内設する。
以上を特徴とする円筒形状のデザイン化された紙管と透明型収容ケースから成る食品用ラップである。
【考案の効果】
【０００５】  従来の無地であった食品用ラップフィルムの円筒形状紙管が本考案によりデザイン画された食品用ラップフィルムの円筒形状紙管として、巻き張り付けることにより、透明の食品用ラップフィルムの上からも目視出来ることにより食品用ラップフィルムの円筒形状紙管の付加価値が生じる。また、食品用ラップフィルムを収めるケースを透明にすれば、そのケースの外側からも目視出来、食品用ラップケースの付加価値も生じる。
【図面の簡単な説明】
【０００６】
【図１】  本考案の一部であるテープ状にしたデザイン画の斜視図
【図２】  本考案の一部であるテープ状にしたデザイン画を紙管に巻き張り付けた状態を示す斜視図
【図３】  本考案の一部であるデザイン化された紙管を芯にして、ラップフィルムを巻き重ねた状態を示す斜視図
【図４】  本考案の一部である透明型ラップケースに、図３の状態にあるラップフィルムを収容した状態を示す斜視図
【考案を実施するための形態】
【０００７】  以下、本考案の実施の形態を説明する。
食品用ラップフィルム（３）等に使用されている円筒形状紙管（２）の外側全面に、約７０ｍｍ幅のテープ状にしたデザイン画（１）を、らせん状に巻き張り付ける。それと共に、それを収容する透明素材を用いた透明型ラップケース（４）を形成し、その中にデザイン化された紙管を内設する。
本考案は以上のような構成である。
これを使用する時は円筒形状紙管（２）に画かれたデザイン画がラップフィルム（３）上から目視出来、また、透明型食品用ラップケース（４）の外からも中身が目視出来る。ラップフィルムの切り取りは、通常の食品用ラップと同様に使用すれば良い。
【符号の説明】
【０００８】１．  テープ状にしたデザイン画
２．  円筒形状紙管
３．  ラップフィルム
４．  透明型ラップケース
【図１】
0003186460.tif 000003
【図２】
0003186460.tif 000004
【図３】
0003186460.tif 000005
【図４】
0003186460.tif 000006